(57)【特許請求の範囲】
【請求項１】
それぞれレンズ光学系を内蔵し、平行に並んで配置された一対の鏡筒と、
上記レンズ光学系のそれぞれの光軸方向と直交する方向に摺動自在に上記一対の鏡筒をガイドするように略平行に配置された第１ガイド軸及び第２ガイド軸と、
上記第１ガイド軸周りに巻き回され上記一対の鏡筒を摺動方向に付勢すると共に、両端部分に設けられたフック部を上記一対の鏡筒のそれぞれに係止することで上記一対の鏡筒を上記第１ガイド軸周りに回転させる一方向に常に付勢する圧縮コイルバネと、
上記圧縮コイルバネにより付勢された上記一対の鏡筒に当接していて、移動されることにより上記一対の鏡筒を上記第１及び第２ガイド軸に沿って摺動させてこれら一対の鏡筒間の距離を調節する調節手段と、
を具備し、
上記圧縮コイルバネによる上記第１ガイド軸周りの回転付勢力によって上記一対の鏡筒を上記第１ガイド軸周りの一方向に常に付勢することで、上記一対の鏡筒と上記第１ガイド軸及び上記第２ガイド軸との間に発生するガタを常に所定方向に片寄せて解消したことを特徴とする双眼鏡。
【発明の詳細な説明】
【０００１】
【発明の属する技術分野】
本発明は双眼鏡、詳しくはガイド手段に沿って摺動する鏡筒を備えた双眼鏡に関する。
【０００２】
【従来の技術】
双眼鏡を使用する際に、使用状況に応じて様々な姿勢で双眼鏡を使用する。このような多様化している使用条件の下で、いかなる姿勢を採っても左右の鏡筒における光軸の平行度に狂いが生じてはならない。
また双眼鏡には、使用者に合わせて眼幅を調整する機構を有しているが、この機構の内、双眼鏡の左右一対の鏡筒を平行移動させて、眼幅を調整する技術手段は従来より様々なものが提案されている。
【０００３】
例えば、特願平６−１８３６５４号においては、左右一対の鏡筒をガイド軸に沿って水平移動させるものであって、眼幅調整時に、左右の鏡筒をそれぞれ、光軸ズレの変化量が極力少ない場所に常に当てつける眼幅調整機構が提案されている。
【０００４】
【発明が解決しようとする課題】
しかしながら上記特願平６−１８３６５４号に記載された眼幅調整機構においては、ガイド軸の断面形状が円形であるため、双眼鏡使用時の姿勢によって、左右の鏡筒がガイド軸を回転中心として回転してしまう虞がある。そしてこの回転によって、双眼鏡の使用姿勢によっては、左右の鏡筒における光軸の平行度が変化するという不具合が生じる。この現象は、双眼鏡における鏡筒の重心がガイド軸から離れれば離れるほど発生しやすくなる。
【０００５】
また、左右の鏡筒とガイド軸との間には、鏡筒をガイド軸と平行に円滑に移動させるために、若干のクリアランスを設ける必要がある。しかしながら、このクリアランスによっても鏡筒の回転が発生する可能性がある。この場合も左右の鏡筒における光軸の平行度が変化する可能性がある。
一般的に双眼鏡において最も重要な要求事項は、いかなる使用状況においても、左右の鏡筒の光軸平行度にズレが生じない、即ち、左右の鏡筒のそれぞれの光軸が常に平行を保つことである。
【０００６】
日本工業規格「ＪＩＳ  Ｂ  ７１２１−１９９３」の双眼鏡に関する記述においては、少なくとも６０〜７０ｍｍの眼幅調整範囲が設定され、この調整範囲において、許容可能な左右の光軸平行度のずれ量は数分以内になるようにと規定されている。
しかしながら、ある程度の重量を有するレンズ光学系を含む鏡筒と、この鏡筒を案内するガイド軸との間には、鏡筒の移動を容易にし、自由に眼幅を変化させる為に、上述した如きクリアランスが必要になる。更に、鏡筒の重心位置とガイド部材の位置ズレが生じている場合、双眼鏡の姿勢によって、ガイド部材を中心に鏡筒に対して回転モーメントが発生し、左右一対の鏡筒における平行度を保つことが困難になり、双眼鏡の姿勢変化によって光軸が安定しないという不具合が生じる。
【０００７】
本発明は上記従来技術の不具合に鑑みて成されたものであり、ガイド軸に沿って摺動する鏡筒を有する双眼鏡において、使用時の姿勢変化によって光軸平行度のズレが生じることのない双眼鏡を得ることを目的とする。
【０００８】
【課題を解決するための手段】
上記目的を達成する為に、本発明における双眼鏡においては、それぞれレンズ光学系を内蔵し、平行に並んで配置された一対の鏡筒と、上記レンズ光学系のそれぞれの光軸方向と直交する方向に摺動自在に上記一対の鏡筒をガイドするように略平行に配置された第１ガイド軸及び第２ガイド軸と、上記第１ガイド軸周りに巻き回され上記一対の鏡筒を摺動方向に付勢すると共に、両端部分に設けられたフック部を上記一対の鏡筒のそれぞれに係止することで上記一対の鏡筒を上記第１ガイド軸周りに回転させる一方向に常に付勢する圧縮コイルバネと、上記圧縮コイルバネにより付勢された上記一対の鏡筒に当接していて、移動されることにより上記一対の鏡筒を上記第１及び第２ガイド軸に沿って摺動させてこれら一対の鏡筒間の距離を調節する調節手段と、を具備し、上記圧縮コイルバネによる上記第１ガイド軸周りの回転付勢力によって上記一対の鏡筒を上記第１ガイド軸周りの一方向に常に付勢することで、上記一対の鏡筒と上記第１ガイド軸及び上記第２ガイド軸との間に発生するガタを常に所定方向に片寄せて解消したことを特徴とする。
【０００９】
【発明の実施の形態】
以下、図面を参照しながら、本発明の実施の形態を説明する。図１乃至図１４は、本発明の一実施形態における双眼鏡を示したものであり、図１は本実施形態の双眼鏡を示す平面図，図２は該双眼鏡を対物レンズ側から見た正面図，図３は該双眼鏡を接眼レンズ側から見た背面図，図４は該双眼鏡の底面図，図５は該双眼鏡の側面図である。
【００１０】
本実施形態における双眼鏡は、上側を上カバー１で、下側を下カバーで覆われており、この両カバーにて双眼鏡のハウジングが構成されている。
上カバー１は、その上面のほぼ中央部に略円盤状の合焦機構操作部材である距離つまみ３が回動自在に配置されており、この距離つまみ３の左右両側には、双眼鏡の携帯性及び保持性を高めるために、ゴム材料等の弾性部材で形成されたグリップ８ａ，８ｂが配置されている。
【００１１】
また、上カバー１の接眼レンズ側の側面からは、視度調整用の回転式操作部材である視度つまみ４が、回動自在に配置されている。
また、双眼鏡の対物レンズ側には、透明な平板で形成された前カバー６が取り付けられており、双眼鏡の内部に異物が侵入することを防いでいる。更にこの接眼レンズの後方には、ゴム材料等の弾性部材で、略楕円筒状に形成された接眼ゴム７ａ，７ｂが設けられている。
【００１２】
更に上カバー１と下カバー２との合わせ目の部分における側面には、携帯用のストラップを取り付ける為の吊り環９ａ，９ｂが設けられている。
上述した如き外観形状を有する双眼鏡の光学系は、概ね図６に示すように構成される。
光学系を保持する鏡筒は、金属や樹脂等の材料で形成された左右一対の鏡枠３５ａ，３５ｂからなり、前方から、鏡筒対物部１２ａ，１２ｂ、鏡筒本体部１０ａ，１０ｂの、二つに大別できる。これらの内、鏡筒本体部１０ａ，１０ｂには、それぞれ内部にプリズム１１ａ，１１ｂ，１１ｃ及び１１ｄが保持されている。この鏡筒本体部１０ａ，１０ｂの前方には鏡筒対物部１２ａ，１２ｂが接着固定されていて、これら鏡筒対物部１２ａ，１２ｂの内周部には、複数のレンズからなる対物レンズ１４ａ，１４ｂを保持する対物レンズ枠１３ａ，１３ｂが、合焦動作及び視度調整動作の為に光軸方向に摺動自在に嵌合している。
【００１３】
更に、上記鏡筒本体部１０ａ，１０ｂの後方には、鏡筒接眼部となる接眼レンズ枠４１ａ，４１ｂがネジで固定されており、この接眼レンズ枠４１ａ，４１ｂの内周部には、複数のレンズからなる接眼レンズ１５ａ，１５ｂが保持されると共に、接眼レンズ枠４１ａ，４１ｂの対物側には、視野絞り１６ａ，１６ｂが配置されている。
【００１４】
左右一対で構成されている二つのレンズ鏡筒３５ａ，３５ｂには、ガイド部材である第１ガイド軸１７，第２ガイド軸１８の２本のガイド軸が嵌入しており、これら二つのレンズ鏡筒３５ａ，３５ｂは、第１ガイド軸１７，第２ガイド軸１８に沿って摺動可能になっている。
第１ガイド軸１７は、図１のＡ−Ａ’断面図である図７に示しているように、上カバー１と下カバー２によって両端を挟み込むことで、その位置が固定される。また、第１ガイド軸１７は、上記レンズ鏡筒３５ａ，３５ｂの一部である鏡筒本体部１０ａ，１０ｂに対して、直角の位置を保持するように、スリーブ２７（図９，図１０，図１１参照）を介して嵌合していることで、この鏡筒本体部１０ａ，１０ｂは、第１ガイド軸１７に沿って、光軸に対し垂直な方向に自由に移動できるようになっている。
【００１５】
第２ガイド軸１８は、その左端部が、鏡筒本体部１０ｂに接着固定されるとともに、その右端部は、鏡筒本体部１０ａに摺動可能に嵌合保持されている。
第１ガイド軸１７は、レンズ鏡筒３５ａ，３５ｂの光軸に対して直交するように配置されている。更に、この第１ガイド軸１７に対して平行になる位置に、第２ガイド軸１８の位置が調整される。
【００１６】
このようにして左右のレンズ鏡筒３５ａ，３５ｂは、眼幅調整を行う際に第１ガイド軸１７と第２ガイド軸１８に沿って、互いに近接・離間するように構成される。
図８，図９は、視度調整と合焦調整の為の機構を示した図である。図８は図１のＢ−Ｂ’断面図であり、図９は上カバー１を外して双眼鏡の内部を露呈させた場合の平面図である。
【００１７】
この双眼鏡は、対物レンズ１４ａ，１４ｂの繰り出し・繰り込みによって視度調整及び合焦動作を行うように構成されている。即ち、対物レンズを移動させる機構は、視度調整機構と合焦調整機構とからなる。
まずはじめに、視度調整機構について述べる。
図６に示すように、視度調整は右側の対物レンズ１４ａだけの繰り出し、あるいは繰り込みによって実行される。図８に示した視度つまみ４を回転させると、該視度つまみ４の小判形状部と嵌合して回転する対物ねじ２６が追従して回転する。この対物ねじ２６は、双眼鏡の左右のレンズ鏡筒３５ａ，３５ｂのほぼ中間の上部に設けられており、上カバー１と下カバー２に挟み込まれている。更に、対物ねじ２６は、光軸と平行に配置された軸状の部材であって、先端部分にねじ２６ａが螺設され、右腕２３の対物側から延びている腕部２３ｂに螺合している。この対物ネジ２６が回転することによって、右腕２３は光軸方向に沿って繰り出し、あるいは繰り込みされる。この右腕２３には、図９に示すように、光軸に対して垂直に左右方向の長穴２３ａが穿説されており、この長穴２３ａに、対物レンズ枠１３ａに圧入されているピン２８の先端部が係合している。従って、右腕２３が繰り出し、あるいは繰り込みされると、右側の対物レンズ枠１３ａもこれに追従して光軸方向に移動され、視度調節を行う。
【００１８】
次に、合焦動作について述べる。
距離つまみ３には、上カバー１を介して、距離カム１９がビス締めされており、一体に回転可能にされている。この距離カム１９にはカム溝１９ａが刻設されてる。カム溝１９ａには左腕２２に固定されている距離ピン２５が挿入されている。この左腕２２にはＥリング２９により対物ネジ２６に取り付けられている。これにより左腕２２は、対物ネジ２６と一体的に光軸方向に移動するようになっている。左腕２２のＥリング２９と右腕２３の腕部２３ｂの間には視度バネ２４が、対物ネジ２６に挿入された状態で設けられている。これにより、左腕２２と右腕２３の間隔が一定に保たれる。
【００１９】
右腕２２も、上記左腕２３と同様に、速報に腕部を突き出し、その部分に光軸に対し垂直な左右方向に長穴２２ａが設けられ、対物レンズ枠１３ｂに固定されているピン２８が係合している。
このような構成において、図８に示した距離つまみ３を回転させると、距離カム１９が一体的に回転され、該距離カム１９の回転に追従して左腕２２が光軸方向に移動する。左腕２２の光軸方向の移動に伴い、該左腕２２にＥリング２９により取り付けられている対物ネジ２６が左腕２２と同方向に移動し、右腕２３も同様に左腕２２と同方向に移動する。これら左腕２２と右腕２３とが光軸方向に沿って同方向に一体的に移動することにより、対物レンズ１４ａ，１４ｂを保持する対物レンズ枠１３ａ，１３ｂが光軸方向に移動し、合焦調整動作が行われる。
【００２０】
次に、図１０乃至図１２を用いて眼幅調整機構について説明する。眼幅の調整は図８にて示した如く、操作部材である眼幅つまみ５を回転させることによって左右のレンズ鏡筒３５ａ，３５ｂの間隔を変更して行う。
眼幅つまみ５には、下カバー２を挟んで調節部材である円盤状の眼幅カムＡ２０ａが一体回転するように固定されている。眼幅カムＡ２０ａには、回転中心に対してほぼ対象に形成された溝カム（図１２参照）が形成されており、これら溝カムには、鏡筒本体部１０ａ，１０ｂから突出しているカムフォロワピン３２ａ，３２ｂが嵌入している。
【００２１】
カムフォロワピン３２ａ，３２ｂの近傍には圧縮コイルバネからなる付勢部材である眼幅バネ３０が、前述した第１ガイド軸１７の周囲に巻回されている。この眼幅バネ３０は、上記カムフォロワピン３２ａ，３２ｂが、眼幅カムＡ２０ａの溝カムに常に当接するように付勢する機能を有しており、これにより鏡筒本体部１０ａ，１０ｂは互いに離間する方向に付勢される。又、この眼幅バネ３０は、その両端部分にフック部を有しており、該フック部を鏡筒本体部１０ａ，１０ｂに形成された凸部に係止することにより、左右一対のレンズ鏡筒３５ａ，３５ｂを、それぞれ第１ガイド軸１７周りに回転する方向に付勢し、第１ガイド軸１７とスリーブとの間に発生するガタと、そして第２ガイド軸１８と鏡筒本体部１０ａとの間に発生するガタを解消する機能を有している。
【００２２】
上記眼幅カムＡ２０ａが回転すると、溝カムに嵌入しているカムフォロワピン３２ａ，３２ｂが光軸と直交する方向に移動し、それに伴い鏡筒本体部１０ａ，１０ｂが光軸と直交する方向に移動して、眼幅調整動作が行われる。
また、図９に示した如く、右腕２２に設けられた長穴２２ａと、左腕２３に設けられた長穴２３ａは、光軸に対して直交する方向に延びる長穴であるので、これら長穴２２ａ，２３ａに沿って対物レンズ枠１３ａ，１３ｂがスライドするので、眼幅が変化した場合でも、視度及び合焦位置に変化はない。
【００２３】
以上述べた如く本実施形態においては眼幅の調整を可能としているが、鏡筒本体部１０ａ，１０ｂに接着固定されたスリーブ２７と第１ガイド軸１７との間には、摺動を円滑にするためのクリアランスが存在している。このクリアランスによって、双眼鏡の使用時における姿勢の変化によって、鏡筒本体部１０ａ，１０ｂが、第１ガイド軸１７を中心にして回転し、左右のレンズ鏡筒３５ａ，３５ｂの上下方向の光軸平行度に変位が生じる可能性がある。
【００２４】
しかしながら、第１ガイド軸１７周りに巻回される眼幅バネ３０の両端部が、鏡筒本体部１０ａ，１０ｂの一部に係止されていることで、レンズ鏡筒３５ａ，３５ｂは常に一方向に付勢されているので、これらレンズ鏡筒３５ａ，３５ｂの光軸の平行度に変位は生じない。
尚、レンズ鏡筒３５ａ，３５ｂの付勢手段として、上記眼幅バネ３０の如き圧縮バネではなく、他の部材を用いても良いことは勿論である。
【００２５】
例えば、図１３に示す他の実施形態においては、眼幅カム２０に端面カムを形成し、この端面カムに鏡筒本体部１０ａ，１０ｂのカムフォロワピン３２ａ，３２ｂを当接させるように構成している。そしてカムフォロワピン３２ａ，３２ｂは、それぞれ第１ガイド軸に嵌合する二つの腕部材に設けられ、これら二つの腕部材が、眼幅バネＡ３０ａ，眼幅バネＢ３０ｂによって、第１ガイド軸１７に沿って中央に向けて付勢されている。
【００２６】
眼幅バネＡ３０ａ及び眼幅バネＢ３０ｂにおける、双眼鏡中央部側の端部は、それぞれ鏡筒本体部１０ａ，１０ｂに設けられた凸部に係合しており、そして双眼鏡両端側の端部は図１３，図１４に示す如きバネ掛け部材３１に係止されている。
これによりカムフォロワピン３２ａ，３２ｂが常に眼幅カム２０に当接するように双眼鏡の中央部分の方向（図１３中矢印Ｃ）に付勢されている。更に、眼幅バネＡ３０ａ，Ｂ３０ｂの両端はフック状に形成されており、一端を鏡筒本体部１０ａ，１０ｂに、他端をバネ掛け部材３１の一部（３１ａ）に係止することにより、第１ガイド軸１７とスリーブとの間に生じるガタと、第２ガイド軸１８と鏡筒本体部１０ａとの間に生じるガタを片寄せする。
【００２７】
この実施形態において、眼幅バネＡ３０ａを鏡筒本体部１０ａに、そして眼幅バネＢ３０ｂを鏡筒本体部１０ｂに設けているが、これはいずれか片方の鏡筒本体部に設けることによっても同様の作用が得られる。
また、図１４に示す如く、バネ掛け部材３１は、両端部にそれぞれ二つの眼幅バネの一端を係止する腕部３１ａを有しており、この腕部３１ａの先端部に第１ガイド軸１７に係合する凹部３１ｂを有し、更に二つの腕部３１ａの間に、中央腕部３１ｃを有している。
【００２８】
以上述べた実施形態において、調節部材の一例として回転式のカムを示したが、これに限らず、例えば三角形に形成され、調整動作に伴って光軸方向に移動するようなカムでも同様の作用を得ることが可能である。
また、以上の実施形態においては、眼幅調整時に一対のレンズ鏡筒３５ａ，３５ｂの両方を光軸と直交する方向に移動するよう構成したが、例えば一方のレンズ鏡筒を不動にし、他方をこれに対して移動させるように構成しても良いことは勿論である。
【００２９】
以上述べた実施形態によれば、レンズ鏡筒全体をガイド軸周りに一方向に付勢したので、ガイド軸とレンズ鏡筒における嵌合部に設けられたクリアランスによる、双眼鏡の姿勢による光軸平行度の変化が生じない。
【００３０】
【発明の効果】
以上詳述した本発明においては、双眼鏡をいかなる姿勢にて使用しても、この姿勢の変化によって二つのレンズ鏡筒間の光軸平行度が変化することはない。
【図面の簡単な説明】
【図１】  本発明の一実施形態における双眼鏡の平面図。
【図２】  図１の双眼鏡を対物レンズ側から見た正面図。
【図３】  図１の双眼鏡を接眼レンズ側から見た背面図。
【図４】  図１の双眼鏡の底面図。
【図５】  図１の双眼鏡の側面図。
【図６】  図１の双眼鏡の光学系を示す図。
【図７】  図１のＡ−Ａ’断面図。
【図８】  図１のＢ−Ｂ’断面図。
【図９】  図１の双眼鏡の内部を露呈させた平面図
【図１０】  図１の双眼鏡の内部を露呈させた平面図
【図１１】  図１の双眼鏡における、眼幅調整機構の概略を示す分解斜視図。
【図１２】  図１の双眼鏡における、眼幅調整機構のカムを示す図であって、（Ａ）は図１１のＸ矢視図、（Ｂ）は該カムの断面図、（Ｃ）は該カムの背面図。
【図１３】  本発明の他の実施形態における双眼鏡の、内部機構を露呈させた平面図。
【図１４】  図１３における実施形態の、眼幅調整機構の概略を示す分解斜視図。
【符号の説明】
３５ａ，３５ｂ   レンズ鏡筒（一対の鏡筒）
１７   第１のガイド軸（ガイド手段）
１８ 第２のガイド軸
３０   眼幅バネ（付勢手段）
２０   眼幅カム（調節手段）
【図１】
0003771961.tif 000002
【図２】
0003771961.tif 000003
【図３】
0003771961.tif 000004
【図４】
0003771961.tif 000005
【図５】
0003771961.tif 000006
【図６】
0003771961.tif 000007
【図７】
0003771961.tif 000008
【図８】
0003771961.tif 000009
【図９】
0003771961.tif 000010
【図１０】
0003771961.tif 000011
【図１１】
0003771961.tif 000012
【図１２】
0003771961.tif 000013
【図１３】
0003771961.tif 000014
【図１４】
0003771961.tif 000015